(57)【要約】【課題】収納空間を増加でき、コストを抑え、空間をとらず、外側の包装の美観に影響しない、部品箱を提供する。【解決手段】部品箱は、一体として裁断された板状材料を折って組み立てて成る箱体（１）を有し、箱体（１）が底板（１０）、第一側面板（２０）、第二側面板（３０）、前面板（４０）及び背面板（５０）を含み、そのうち、底板（１０）が折られ下方向に凹み且つ２側辺部が開放された状態の下収納槽ａが形成され、第一、二側面板（２０、３０）が底板（１０）の２つの相対する側辺部に垂直に接続され、下収納槽ａの上方に２側辺部が開放された状態の上収納槽ｂが形成され、さらに、前面板（４０）及び背面板（５０）が底板（１０）にそれぞれ垂直に接続され、上収納槽ｂ及び下収納槽ａの両側の開放された側辺部に閉じ合わされる。このほか、部品箱はさらに蓋体（２）を含み、箱体（１）上に閉じ合わされることができる。【選択図】図３
0003126277.tif 000002
【実用新案登録請求の範囲】
【請求項１】
部品箱であって、一体として裁断された板状材料を折って組み立てて成る箱体を有し、前記箱体が、底板、第一側面板、第二側面板、前面板及び背面板を含み、
そのうち、前記底板が折られ下方向に凹み且つ２側辺部が開放された状態の下収納槽が形成され、前記第一側面板は前記底板の一側辺部に垂直に接続され、前記第二側面板は前記底板の別の側辺部に垂直に接続され、且つ前記第一側面板と平行を成し、これにより前記下収納槽の上方に２側辺部が開放された状態の上収納槽が形成され、前記上収納槽は前記下収納槽と相互に通じており、
さらに、前記前面板は前記底板に垂直に接続され、前記上収納槽及び前記下収納槽の開放された一側辺部に閉じ合わされ、前記背面板は前記底板に垂直に接続され、且つ前記前面板と平行を成し、前記上収納槽及び前記下収納槽の別の開放された側辺部に閉じ合わされることを特徴とする部品箱。
【請求項２】
さらに蓋体を含み、前記箱体上に閉じ合わされることを特徴とする請求項１に記載の部品箱。
【請求項３】
前記底板が、下座片と、前記下座片の片側に接続された第一延伸片と、前記下座片の別の側に接続され、且つ前記第一延伸片と平行を成す第二延伸片と、前記第一延伸片の一側辺部に接続された第一上座片と、前記第二延伸片の一側辺部に接続された第二上座片とを備え、そのうち、
前記下収納槽が前記下座片、前記第一延伸片及び前記第二延伸片を折り曲げ組み立てて形成され、前記上収納槽が前記第一上座片、前記第二上座片、前記第一側面板及び前記第二側面板を折り曲げ組み立てて形成されることを特徴とする請求項１又は２に記載の部品箱。
【請求項４】
前記第一側面板が第一側面片、第一接続片及び第一折り返し片を備え、前記第一側面片が前記第一上座片の一側辺部に接続され、前記第一接続片が前記第一側面片の一側辺部に接続され、前記第一折り返し片が前記第一接続片の一側辺部に接続され、且つ、前記第一折り返し片が前記上収納槽内に折り込まれ、前記第一折り返し片と前記第一側面片間に貫通状の第一挟み槽が形成されると共に、
前記第二側面板が第二側面片、第二接続片及び第二折り返し片を備え、前記第二側面片が前記第二上座片の一側辺部に接続され、前記第二接続片が前記第二側面片の一側辺部に接続され、前記第二折り返し片が前記第二接続片の一側辺部に接続され、且つ、前記第二折り返し片が前記上収納槽内に折り込まれ、前記第二折り返し片と前記第二側面片間に貫通状の第二挟み槽が形成されることを特徴とする請求項３に記載の部品箱。
【請求項５】
前記第一上座片上に複数の第一嵌入孔が設けられ、前記第一折り返し片の一側辺部に複数の第一嵌入片が設けられて前記第一嵌入孔内に対応して嵌入され、
前記第二上座片上に複数の第二嵌入孔が設けられ、前記第二折り返し片の一側辺部に複数の第二嵌入片が設けられて前記第二嵌入孔内に対応して嵌入されることを特徴とする請求項４に記載の部品箱。
【請求項６】
前記前面板の両側にそれぞれ前挿入片が設けられて前記第一挟み槽及び前記第二挟み槽内にそれぞれ挿入され、
前記背面板の両側にそれぞれ後ろ挿入片が設けられて前記第一挟み槽及び前記第二挟み槽内にそれぞれ挿入されることを特徴とする請求項５に記載の部品箱。
【請求項７】
さらに蓋体を含み、前記箱体上に閉じ合わされることを特徴とする請求項６に記載の部品箱。
【請求項８】
前記蓋体は、前記背面板に一体として接続され、前記上収納槽を覆う蓋板と、前記蓋板の一側辺部に接続され、前記上収納槽内に折り込まれ、且つ前記第一折り返し片に重ねられる第一翼板と、前記蓋板の別の一側辺部に接続され、且つ前記第一翼板と平行を成し、前記上収納槽内に折り込まれ、且つ前記第二折り返し片に重ねられる第二翼板と、前記蓋板に接続され、前記前面板の外側に向かって折り曲げられ、前記前面板を覆う前翼板とを備え、
前記前翼板の両側に第一固定片及び第二固定片がそれぞれ接続され、前記第一固定片が前記第一挟み槽内に挿入され、前記第二固定片が前記第二挟み槽内に挿入されることを特徴とする請求項７に記載の部品箱。
【請求項９】
前記底板はさらに、
前記第一延伸片の両側にそれぞれ接続され、前記下収納槽内に折り込まれ、前記前面板及び前記背面板の内側面に重ねられる２つの第一下支持片と、
前記第二延伸片の両側に接続され、前記下収納槽内に折り込まれ、前記前面板及び前記背面板の内側面に重ねられる２つの第二下支持片と、
前記第一上座片の両側にそれぞれ接続され、前記上収納槽内に折り込まれ、前記前面板及び前記背面板の内側面に重ねられる２つの第一上支持片と、
前記第二上座片の両側にそれぞれ接続され、前記上収納槽内に折り込まれ、前記前面板及び前記背面板の内側面に重ねられる２つの第二上支持片とを備えることを特徴とする請求項３に記載の部品箱。
【考案の詳細な説明】
【技術分野】
【０００１】
本考案は部品箱の技術領域に関し、詳細には、収納空間を増加でき、既存の緩衝材及び外側の包装箱に適用することができる部品箱に関する。
【背景技術】
【０００２】
一般的な電器製品は販売時に通常その電器製品に必要な接続ケーブルやコネクタ、アダプタ及び電源コード等の電子部材、或いは説明書、インストール用光ディスク、保証書等の付属品が添付されており、これら電子部材及び付属品は、特許文献１及び特許文献２に示されるような、方形の部品箱に包装される。
【特許文献１】米国特許第5,029,709号明細書
【特許文献２】米国特許出願公開第2006/0131198A1号明細書
【０００３】
図６に示すように、電器製品(８)及び部品箱(９)を包装箱(８０)内に納めるとき、２つの緩衝材(８１)を利用して固定するが、そのうち各緩衝材(８１)上に相互に対応する主嵌入槽(８２)及び副嵌入槽(８３)を設け、主嵌入槽(８２)に電器製品(８)の両側を嵌入し、副嵌入槽(８３)に部品箱(９)の両側を嵌入する。
【０００４】
しかしながら、電器製品(８)はその販売時に販促や特価、優待等のさまざまな要因により往々にして付属させる電子部材や付属品が増加され、増加された電子部材や付属品の数量或いは体積が大きいために元の部品箱に完全に収納できないときには２つの解決方法があり、一つは部品箱(９)をより大きなものに設計し、すべての電子部材及び付属品を収納できるようにする方法であるが、このような方法では包装箱(８０)及び緩衝材(８１)も同時に改めて設計及び製作をし直す必要があり、コストが大幅に高くなるため、コストの経済性に全くそぐわず、一般的な業者は通常この方法は考慮しない。もう一つの方法は、業者が一般的に使用している方法であるが、主に増えた部分の電子部材または付属品を別途追加部品箱(９ａ)内に収納し、さらに図６に示すように、追加部品箱(９ａ)を包装箱(８０)内の隙間に入れるか、または図７に示すように、直接テープで包装箱(８０)の外側に貼り付ける。追加部品箱(９ａ)を包装箱(８０)内の隙間に入れる場合、追加部品箱(９ａ)が包装箱(８０)の中で任意に移動してしまい、電器製品(８)にぶつかるという問題があり、またテープで追加部品箱(９ａ)を包装箱(８０)の外側に貼り付ける場合は、包装箱(８０)の外部空間を占用してしまい、運送に不便になると共に、包装箱(８０)の全体の外観に影響する。
【考案の開示】
【考案が解決しようとする課題】
【０００５】
本考案の主な目的は、収納空間を増加でき、コストを抑え、空間をとらず、外側の包装の美観に影響しない、部品箱を提供することにある。
【課題を解決するための手段】
【０００６】
本考案の部品箱は、一体として裁断された板状材料を折って組み立てて成る箱体を有し、前記箱体が、底板、第一側面板、第二側面板、前面板及び背面板を含み、そのうち、前記底板が折られ下方向に凹み且つ２側辺部が開放された状態の下収納槽が形成され、前記第一側面板は前記底板の一側辺に垂直に接続され、前記第二側面板は前記底板の別の一側辺に垂直に接続され、且つ前記第一側面板と平行を成し、これにより前記下収納槽の上方に２側辺部が開放された状態の上収納槽が形成され、前記上収納槽は前記下収納槽と相互に通じており、さらに、前記前面板は前記底板に垂直に接続され、前記上収納槽及び下収納槽の開放された一側辺部に閉じ合わされ、前記背面板は前記底板に垂直に接続され、且つ前記前面板と平行を成し、前記上収納槽及び下収納槽の別の開放された側辺部に閉じ合わされる。このほか、前記部品箱はさらに蓋体を含み、前記箱体上に閉じ合わされることができる。
【考案の効果】
【０００７】
このように、従来の部品箱と比較すると、本考案の部品箱の底部には下方向に凹んだ下収納槽が設けられており、より多くの収納空間を提供し、すべての電子部材及びその関連付属品を収納することができる。且つ、部品箱の両側は既存の緩衝材内に嵌め込むことができ、別途新しい緩衝材及び外側包装箱を設計、製作する必要がなく、大幅にコストを節約でき、さらに、部品箱底部の突出した部分が緩衝材の間に収納され、製品にぶつかることがなく、また外側包装箱の空間を占用することもないため、運送上より便利であり、且つ製品包装の全体の美観に影響することもない。
【考案を実施するための最良の形態】
【０００８】
図１に本考案の実施例の部品箱の展開図を示す。その構造は、箱体(１)及び蓋体(２)を含み、且つ、箱体(１)及び蓋体(２)は例えば紙板やプラスチック薄板等の折り畳み可能な材料の板状材料から成り、一体として裁断された後折って組み立てられて形成される。そのうち、箱体(１)は底板(１０)、第一側面板(２０)、第二側面板(３０)、前面板(４０)及び背面板(５０)を含む。
【０００９】
底板(１０)は下座片(１１)を備え、第一延伸片(１２)が下座片(１１)の左側に接続され、第二延伸片(１３)が下座片(１１)の右側に接続され、且つ、第一延伸片(１２)と平行を成し、第一上座片(１４)が第一延伸片(１２)の左側に接続され、第二上座片(１５)が第二延伸片(１３)の右側に接続され、２枚の第一下支持片(１６)が第一延伸片(１２)の前後の辺にそれぞれ接続され、２枚の第二下支持片(１７)が第二延伸片(１３)の前後の辺にそれぞれ接続され、２枚の第一上支持片(１８)が第一上座片(１４)の前後の辺にそれぞれ接続され、さらに２枚の第二上支持片(１９)が第二上座片(１４)の前後の辺にそれぞれ接続される。このほか、第一上座片(１４)上に２つの第一嵌入孔(１４０)が設けられ、且つ、第二上座片(１５)上に２つの第二嵌入孔(１５０)が設けられる。
【００１０】
さらに、第一側面板(２０)は底板(１０)の左側に接続され、且つ、第一上座片(１４)の左側に接続された第一側面片(２１)、第一側面片(２１)の左側に接続された第一接続片(２２)、第一接続片(２２)の左側に接続された第一折り返し片(２３)を含み、且つ、第一折り返し片(２３)の左側に突出した状態の２つの第一嵌入片(２３０)が設けられ、第一嵌入孔(１４０)内にそれぞれ対応して嵌め込まれる。第二側面板(３０)は底板(１０)の右側に接続され、第一側面板(２０)と平行を成し、且つ、第二側面板(３０)は第二上座片(１５)の右側に接続された第二側面片(３１)、第二側面片(３１)の右側に接続された第二接続片(３２)、第二接続片(３２)の右側に接続された第二折り返し片(３３)を含み、且つ、第二折り返し片(３３)の右側に突出した状態の２つの第二嵌入片(３３０)が設けられ、第二嵌入孔(１５０)内にそれぞれ対応して嵌め込まれる。
【００１１】
このほか、前面板(４０)は底板(１０)の前側、即ち、下座片(１１)の前側に接続され、且つ、前面板(４０)は２枚の前挿入片(４１)が左右両側にそれぞれ接続される。背面板(５０)は底板(１０)の後方、即ち、下座片(１１)の後方に接続され、且つ、前面板(４０)と平行を成し、そのうち、背面板(５０)は２枚の後ろ挿入片(５１)が左右両側にそれぞれ接続される。
【００１２】
図１に示すように、蓋体(２)は、蓋板(６０)、第一翼板(６１)、第二翼板(６２)及び前翼板(６３)を含み、そのうち、蓋板(６０)は背面板(５０)の後ろ側に一体として接続され、第一翼板(６１)は蓋板(６０)の左側に接続され、第二翼板(６２)は蓋板(６０)の右側に接続され、且つ、前翼板(６３)は蓋板(６０)の後ろ側に接続される。このほか、前翼板(６３)の左右両側に第一固定片(６４)及び第二固定片(６５)がそれぞれ接続される。
【００１３】
図２に示すように、第一延伸片(１２)と第二延伸片(１３)はそれぞれ上方向に折り曲げられて相互に平行を成し、且つ、下座片(１１)と相互に垂直を成し、さらに下方向に凹み、前後両側が開放状態を呈する下収納槽(ａ)を形成し、且つ、第一側面片(２１)と第二側面片(３１)もそれぞれ上方向に折り曲げられて相互に平行を成し、且つ、第一上座片(１４)及び第二上座片(１５)と相互に垂直を成し、さらに下収納槽(ａ)上方に下収納槽(ａ)に通じた上収納槽(ｂ)を形成し、且つ、上収納槽(ｂ)も両側が開放された状態を呈する。前面板(４０)及び背面板(５０)がそれぞれ上方向に折り曲げられて相互に平行を成し、且つ、底板(１０)の前後の辺に相互に垂直を成し、下収納槽(ａ)及び上収納槽(ｂ)の前後の開放側面を封鎖する。
【００１４】
図３に示すように、第一折り返し片(２３)は上収納槽(ｂ)内に折り込まれ、且つ、第一側面片(２１)と平行を成し、第一折り返し片(２３)と第一側面片(２１)間に貫通状の第一挟み槽(２４)を形成し、且つ、第一嵌入片(２３０)を第一嵌入孔(１４０)内にそれぞれ対応させて挿入する。これにより、第一側面片(２１)、第一接続片(２２)及び第一折り返し片(２３)が底板(１０)左側に垂直の第一側面板(２０)を形成し、且つ、第一挟み槽(２４)の幅が第一接続片(２２)を折り曲げた後の内側の幅に相当する。同様に、第二側面片(３１)、第二接続片(３２)及び第二折り返し片(３３)が折り曲げられ、且つ、第二折り返し片が上収納槽(ｂ)内に折り込まれ、且つ、第二側面片(３１)と平行を成し、第二折り返し片(３３)と第二側面片(３１)間に貫通状の第二挟み槽(３４)を形成し、且つ、第二嵌入片(３３０)を第二嵌入孔(１５０)内にそれぞれ対応させて挿入する。これにより、図２及び図３に示すように、底板(１０)の右側に垂直の第二側面板(３０)を形成する。
【００１５】
さらに、前面板(４０)の２つの前挿入片(４１)を第一挟み槽(２４)及び第二挟み槽(３４)の前端部からそれぞれ挿入し、且つ、背面板(５０)の２つの後ろ挿入片(５１)を第一挟み槽(２４)及び第二挟み槽(３４)の後端部からそれぞれ挿入する。且つ、図３に示すように、第一下支持片(１６)及び第二下支持片(１７)は第一延伸片(１２)及び第二延伸片(１３)の両側にそれぞれ接続され、下収納槽(ａ)内に折り込まれると共に、前面板(４０)及び背面板(５０)の内側面に重ねられる。第一上支持片(１８)及び第二上支持片(１９)は第一上座片(１４)及び第二上座片(１５)の両側にそれぞれ接続され、上収納槽(ｂ)内に折り込まれると共に前面板(４０)及び背面板(５０)の内側面に重ねられる。
【００１６】
図３、図４に示すように、第一翼板(６１)、第二翼板(６２)及び前翼板(６３)は蓋板(６０)内側に向かって折り込まれ、蓋板(６０)と相互に垂直状を成し、このため、蓋板(６０)を箱体(１)に被せ、且つ上収納槽(ｂ)を覆うとき、第一翼板(６１)を上収納槽(ｂ)内に折り込み、且つ、第一折り返し片(２３)と重ね合わせ、第二翼板(６２)を上収納槽(ｂ)内に折り込み、且つ、第二折り返し片(３３)と重ね合わせ、さらに、前翼板(６３)を前面板(４０)の外側に向かって折り曲げて前面板(４０)を覆い、第一固定片(６４)及び第二固定片(６５)を第一挟み槽(２４)及び第二挟み槽(３４)内にそれぞれ挿入すると、蓋体(２)及び箱体(１)の閉じ合わせが完了し、箱体(１)を蓋で覆った状態とすることができる。このように、本実施例の部品箱はその全体を側面から見るとＴ字形を呈する。
【００１７】
図５に示すように、包装箱(７０)内の両側にそれぞれ緩衝材(７１)を詰め、各緩衝材(７１)上に相互に対応する主嵌入槽(７２)及び副嵌入槽(７３)をそれぞれ設け、主嵌入槽(７２)に製品(７)の両側を嵌設し、副嵌入槽(７３)に本実施例のＴ字形部品箱(７ａ)の両側を嵌設すると、部品箱(７ａ)底部の突出した部分が２つの緩衝材(７１)の間に収納される。
【００１８】
本実施例の部品箱は底部に従来の部品箱より１つ多く下収納槽を設けているため、部品箱はより多くの空間に例えば接続ケーブルやコネクタ、アダプタ及び電源コード等の電子部材や、説明書、インストール用光ディスク、保証書等の付属品など関連の付帯品を収納することができ、且つ、電子部材及び付属品を２つの箱に分ける必要がない。本考案の部品箱の両側の高さは従来の部品箱と同じであるため、既存の緩衝材内に嵌め込むことができ、新たに緩衝材及び外側の包装箱を設計、製作する必要がなく、大幅に包装コストを節約することができる。さらに、部品箱底部の一体として折って形成された下収納槽の部分は、２つの緩衝材の間に収納されるため、製品の設置に影響することがなく、且つ、部材が外側包装箱の空間を占用しその全体の美観を損ねるということがない。このため、製品の運送及び積み重ねにより便利である。
【図面の簡単な説明】
【００１９】
【図１】本考案の実施例の部品箱の展開図である。
【図２】本考案の実施例の部品箱の組み立て動作を示す立体斜視図である。
【図３】本考案の実施例の部品箱の立体斜視図である。
【図４】本考案の実施例の部品箱の閉じた状態を示す立体斜視図である。
【図５】本考案の実施例の部品箱を包装箱内に収納した状態の断面図である。
【図６】従来例の追加部品箱を包装箱内に収納した状態の断面図である。
【図７】従来例の追加部品箱を包装箱外部に設置した状態の断面図である。
【符号の説明】
【００２０】
１        箱体
２        蓋体
１０      底板
１１      下座片
１２      第一延伸片
１３      第二延伸片
１４      第一上座片
１４０    第一嵌入孔
１５      第二上座片
１５０    第二嵌入孔
１６      第一下支持片
１７      第二下支持片
１８      第一上支持片
１９      第二上支持片
２０      第一側面板
２１      第一側面片
２２      第一接続片
２３      第一折り返し片
２３０    第一嵌入片
２４      第一挟み槽
３０      第二側面板
３１      第二側面片
３２      第二接続片
３３      第二折り返し片
３３０    第二嵌入片
３４      第二挟み槽
４０      前面板
４１      前挿入片
５０      背面板
５１      後ろ挿入片
６０      蓋板
６１      第一翼板
６２      第二翼板
６３      前翼板
６４      第一固定片
６５      第二固定片
７ａ      部品箱
７０      包装箱
７１      緩衝材
７２      主嵌入槽
７３      副嵌入槽
８        電器製品
８０      包装箱
８１      緩衝材
８２      主嵌入槽
８３      副嵌入槽
９        部品箱
９ａ      追加部品箱
ａ        下収納槽
ｂ        上収納槽
【図１】
0003126277.tif 000003
【図２】
0003126277.tif 000004
【図３】
0003126277.tif 000005
【図４】
0003126277.tif 000006
【図５】
0003126277.tif 000007
【図６】
0003126277.tif 000008
【図７】
0003126277.tif 000009